(57)【要約】【課題】電子機器を梱包する際に用いられる梱包材において、外部から加わる振動及び／又は衝撃から、電子機器を確実に保護可能にする。【解決手段】梱包材１は、ＤＶＤプレーヤ本体１１０の前部を保護する第１の部材１０及び第２の部材２０と、背部を保護する第３の部材３０とで構成されている。各部材の、外箱に当接する当接部１２，２２，３２の近傍には、肉盗み部１３，２３，３３が形成されている。第１の部材１０及び第２の部材２０の前面には、当接部１２，２２と接続部１６，２６により接続され、外箱に当接する略平面状の前面接触部１５，２５が設けられている。第３の部材３０の左右略中央部には、上下２箇所に、前方から見て蛇腹形状をなす蛇腹部３６が形成されている。各部材は、外部から振動等が加わったときに変形しやすく、梱包されているＤＶＤプレーヤに伝わる振動を軽減可能に構成されている。【選択図】図１
2007284109.tif 000002
【特許請求の範囲】
【請求項１】
略直方体形状のＤＶＤプレーヤ本体及びこのＤＶＤプレーヤ本体を縦置きに支持するためのスタンドを輸送運搬用に外箱内に梱包する際に用いられる発泡スチロール製の梱包材であって、
前記梱包材は、
前記ＤＶＤプレーヤ本体のＤＶＤディスク挿入部が設けられている前部の左右に別個に配され、そのＤＶＤプレーヤ本体の前部の４角のうち、左右の上下２角ずつの近傍部位をそれぞれ保護可能な第１の部材及び第２の部材と、
前記ＤＶＤプレーヤ本体の背部に配されて、前面側でＤＶＤプレーヤ本体の背部近傍を保護可能であるとともに、背面側で前記スタンドを保護可能に形成された第３の部材とで構成されており、
前記第１の部材及び第２の部材それぞれは、
前記ＤＶＤプレーヤ本体の前部の４角のうち、左右どちらかの上下２角の近傍部位を包み込み可能に形成された前部嵌入部と、
前記前部嵌入部の外側に形成されており、前記梱包材が前記外箱に梱包されているときに、その外箱の２箇所の隅部近傍と当接する２箇所の当接部と、
前記当接部の、前記前部嵌入部の上下部位に、それぞれ、前記ＤＶＤプレーヤ本体の背面側から前面側に向けて前記当接部の部材をくりぬくように形成された肉盗み部と、
前記梱包材が前記外箱内に梱包されているときに、その外箱の内面のうち、前記ＤＶＤプレーヤ本体の前面に対向する面に当接するように略平面状に形成された前面接触部と、
前記前面接触部が、前記ＤＶＤプレーヤ本体の前後方向に可撓性を有するように、前記２箇所の当接部と前面接触部とを、側方から見て蛇腹形状をなすように接続する接続部とを有しており、
前記第３の部材は、
前記ＤＶＤプレーヤ本体の背部の４角の近傍部位を包み込み可能に、前方に向け開口するように形成された背部嵌入部と、
前記背部嵌入部の外側に形成されており、前記梱包材が前記外箱に梱包されているときに、その外箱の４箇所の隅部近傍と当接する４箇所の当接部と、
前記背部嵌入部に連設され、前記スタンドを保護可能に後方に向け開口するように形成されたスタンド嵌入部と、
前記４箇所の当接部それぞれの、前記背部嵌入部の上下部位に、前記ＤＶＤプレーヤ本体の前面側から背面側に向けて当接部の部材をくりぬいて貫通するように形成された肉盗み部と、
前記背部嵌入部及びスタンド嵌入部の左右方向略中央部の上下に、前方から見て蛇腹形状をなすように、前後方向に沿って設けられた蛇腹部とを有しており、
輸送運搬中に前記外箱に振動及び／又は衝撃が加わったときに、前記第１の部材、第２の部材それぞれの、前記肉盗み部の周辺部及び接続部と、前記第３の部材の肉盗み部の周辺部及び蛇腹部とが、その振動及び／又は衝撃に応じて変形することにより、前記ＤＶＤプレーヤ本体及びスタンドに伝わる振動及び／又は衝撃を軽減し、前記ＤＶＤプレーヤ本体及びスタンドをその振動及び／又は衝撃から保護することが可能であることを特徴とする梱包材。
【請求項２】
電子機器を外箱内に梱包する際に用いられる梱包材であって、
前記梱包材は、
前記外箱に梱包されているときに、その外箱の複数の隅部近傍と当接する複数の当接部と、
前記当接部の内側に、前記電子機器の一部を嵌め込んで包み込み可能に形成された嵌入部と、
前記当接部の、前記嵌入部の近傍部位に、当接部の部材をくりぬくように形成された肉盗み部と、
前記複数の当接部の間に、蛇腹形状をなすように形成された蛇腹部とを有しており、
前記外箱に振動及び／又は衝撃が加わったときに、前記肉盗み部の周辺部及び蛇腹部がその振動及び／又は衝撃に応じて変形することにより、前記電子機器に伝わる振動及び／又は衝撃が軽減されるように形成されていることを特徴とする梱包材。
【請求項３】
前記電子機器は、略直方体形状の本体と、その本体を支持するためのスタンドとで構成されており、
前記梱包材は、
前記嵌入部が、前記本体の一面を包み込み可能に開口するように形成されており、
前記肉盗み部は、前記当接部の、前記嵌入部の４角の近傍部位にそれぞれ形成されており、
前記嵌入部に連設され、前記スタンドを保護可能に開口するように形成されたスタンド嵌入部をさらに有し、
前記蛇腹部は、前記嵌入部及びスタンド嵌入部の上下の部位に、前記嵌入部の開口方向から見て蛇腹形状をなすように形成されていることを特徴とする請求項２に記載の梱包材。
【発明の詳細な説明】
【技術分野】
【０００１】
本発明は、例えばＤＶＤプレーヤ本体等の電子機器を梱包する際に用いられる梱包材に関する。
【背景技術】
【０００２】
一般に、例えばＤＶＤプレーヤ等の電子機器は、例えば輸送運搬時において、外部から振動及び／又は衝撃（以下、振動等という）が加わって故障してしまうことを防止するために梱包される。図６は、このようなＤＶＤプレーヤ８１００の一例を示す。ＤＶＤプレーヤ８１００は、本体８１１０と、本体８１１０を縦置きに設置するためのスタンド８１２０とで構成されている。本体８１１０の前面には、ＤＶＤディスクを挿入するための挿入口８１１１が設けられており、挿入口８１１１の近傍には、ＤＶＤディスクのローディング機構８１１２が設けられている。ローディング機構８１１２は可動部であり、この本体８１１０の中でも特に衝撃に弱く、振動等により故障しやすい部位になっている。
【０００３】
図７（ａ）、（ｂ）は、従来の梱包材の一例を示す。この梱包材８１は、ＤＶＤプレーヤ８１００を梱包するための発泡スチロール製のものであり、本体８１１０とスタンド８１２０とを共に梱包可能に構成されている。ＤＶＤプレーヤ８１００は、この梱包材８１により保護された上で、外箱（図示せず）内部に収納される。図のＸＹＺ座標系は、Ｘ方向が前方、Ｙ方向が側方、Ｚ方向が上方であることを示す。梱包材８１は、図に示すように、本体８１１０の、ＤＶＤディスクの挿入口８１１１が設けられている前面の左右それぞれを保護するように配置される第１の部材８１０及び第２の部材８２０と、本体８１１０の背部を保護するように配置される第３の部材８３０との３つの部材により構成されている。
【０００４】
本体８１１０の前部を保護する第１の部材８１０及び第２の部材８２０は、それぞれ、本体８１１０が嵌入される嵌入部８１１，８２１と、外箱の隅部近傍と当接する当接部８１２，８２２とを有している。また、本体８１１０の背部を保護する第３の部材８３０は、本体８１１０の背面全体が包み込まれるように嵌入される嵌入部８３１と、外箱の隅部近傍と当接する当接部８３２とを有している。そして、図７（ｂ）に示すように、この第３の部材８３０の背部には、スタンド８１２０を嵌め込み可能なスタンド嵌入部８３４が形成されており、スタンド８１２０を本体８１１０と共に梱包することができるように構成されている。
【０００５】
上述のように、ローディング機構８１１２等が設けられている前面側が、特に衝撃に弱いため、梱包材８１は、前面側の保護部材が、第１の部材８１０と第２の部材８２０とに分割されており、振動等が外箱に加わったときに第１の部材８１０と第２の部材８２０とが別個に変位して本体８１１０の前部に伝わる振動等の強さが弱くなるように構成されている。また、この第１の部材８１０、第２の部材８２０、及び第３の部材８３０においては、当接部８１２，８２２，８３２が他の部位に対して突出して設けられており、振動等が外箱に伝わったときにこれらの当接部８１２，８２２，８３２が変形して、その振動等が本体８１１０に伝わりにくくなるように構成されている。このように、梱包材の衝撃等を緩和する能力を向上させるべく、従来の梱包材８１においても種々の工夫はなされている。しかしながら、外部からの衝撃等を緩和してＤＶＤプレーヤ８１００等の電子機器をより確実に保護可能になるように、更なる改善が望まれている。
【０００６】
なお、特許文献１には、板状発泡樹脂ボードをジグザグ状に折り曲げ加工したホルダーにより板状製品を確実に保護する旨記載されているが、特許文献１の発明は、上記のＤＶＤプレーヤ８１００等の電子機器用の梱包材として適用可能なものではない。
【特許文献１】特開２００２−３４７８４３号公報
【発明の開示】
【発明が解決しようとする課題】
【０００７】
本発明は、上記問題点を鑑みてなされたものであり、外部から加わる振動及び／又は衝撃から、電子機器を確実に保護可能な梱包材を提供することを目的とする。
【課題を解決するための手段】
【０００８】
上記目的を達成するため請求項１の発明は、略直方体形状のＤＶＤプレーヤ本体及びこのＤＶＤプレーヤ本体を縦置きに支持するためのスタンドを輸送運搬用に外箱内に梱包する際に用いられる発泡スチロール製の梱包材であって、前記梱包材は、前記ＤＶＤプレーヤ本体のＤＶＤディスク挿入部が設けられている前部の左右に別個に配され、そのＤＶＤプレーヤ本体の前部の４角のうち、左右の上下２角ずつの近傍部位をそれぞれ保護可能な第１の部材及び第２の部材と、前記ＤＶＤプレーヤ本体の背部に配されて、前面側でＤＶＤプレーヤ本体の背部近傍を保護可能であるとともに、背面側で前記スタンドを保護可能に形成された第３の部材とで構成されており、前記第１の部材及び第２の部材それぞれは、前記ＤＶＤプレーヤ本体の前部の４角のうち、左右どちらかの上下２角の近傍部位を包み込み可能に形成された前部嵌入部と、前記前部嵌入部の外側に形成されており、前記梱包材が前記外箱に梱包されているときに、その外箱の２箇所の隅部近傍と当接する２箇所の当接部と、前記当接部の、前記前部嵌入部の上下部位に、それぞれ、前記ＤＶＤプレーヤ本体の背面側から前面側に向けて前記当接部の部材をくりぬくように形成された肉盗み部と、前記梱包材が前記外箱内に梱包されているときに、その外箱の内面のうち、前記ＤＶＤプレーヤ本体の前面に対向する面に当接するように略平面状に形成された前面接触部と、前記前面接触部が、前記ＤＶＤプレーヤ本体の前後方向に可撓性を有するように、前記２箇所の当接部と前面接触部とを、側方から見て蛇腹形状をなすように接続する接続部とを有しており、前記第３の部材は、前記ＤＶＤプレーヤ本体の背部の４角の近傍部位を包み込み可能に、前方に向け開口するように形成された背部嵌入部と、前記背部嵌入部の外側に形成されており、前記梱包材が前記外箱に梱包されているときに、その外箱の４箇所の隅部近傍と当接する４箇所の当接部と、前記背部嵌入部に連設され、前記スタンドを保護可能に後方に向け開口するように形成されたスタンド嵌入部と、前記４箇所の当接部それぞれの、前記背部嵌入部の上下部位に、前記ＤＶＤプレーヤ本体の前面側から背面側に向けて当接部の部材をくりぬいて貫通するように形成された肉盗み部と、前記背部嵌入部及びスタンド嵌入部の左右方向略中央部の上下に、前方から見て蛇腹形状をなすように、前後方向に沿って設けられた蛇腹部とを有しており、輸送運搬中に前記外箱に振動及び／又は衝撃が加わったときに、前記第１の部材、第２の部材それぞれの、前記肉盗み部の周辺部及び接続部と、前記第３の部材の肉盗み部の周辺部及び蛇腹部とが、その振動及び／又は衝撃に応じて変形することにより、前記ＤＶＤプレーヤ本体及びスタンドに伝わる振動及び／又は衝撃を軽減し、前記ＤＶＤプレーヤ本体及びスタンドをその振動及び／又は衝撃から保護することが可能であるものである。
【０００９】
請求項２の発明は、電子機器を外箱内に梱包する際に用いられる梱包材であって、前記梱包材は、前記外箱に梱包されているときに、その外箱の複数の隅部近傍と当接する複数の当接部と、前記当接部の内側に、前記電子機器の一部を嵌め込んで包み込み可能に形成された嵌入部と、前記当接部の、前記嵌入部の近傍部位に、当接部の部材をくりぬくように形成された肉盗み部と、前記複数の当接部の間に、蛇腹形状をなすように形成された蛇腹部とを有しており、前記外箱に振動及び／又は衝撃が加わったときに、前記肉盗み部の周辺部及び蛇腹部がその振動及び／又は衝撃に応じて変形することにより、前記電子機器に伝わる振動及び／又は衝撃が軽減されるように形成されているものである。
【００１０】
請求項３の発明は、請求項２の発明において、前記電子機器は、略直方体形状の本体と、その本体を支持するためのスタンドとで構成されており、前記梱包材は、前記嵌入部が、前記本体の一面を包み込み可能に開口するように形成されており、前記肉盗み部は、前記当接部の、前記嵌入部の４角の近傍部位にそれぞれ形成されており、前記嵌入部に連設され、前記スタンドを保護可能に開口するように形成されたスタンド嵌入部をさらに有し、前記蛇腹部は、前記嵌入部及びスタンド嵌入部の上下の部位に、前記嵌入部の開口方向から見て蛇腹形状をなすように形成されているものである。
【発明の効果】
【００１１】
請求項１の発明によれば、梱包材の第１の部材、第２の部材、第３の部材それぞれの当接部の近傍に肉盗み部が設けられているので、外箱に振動及び／又は衝撃（以下、振動等という）が加わったときに、この当接部の、肉盗み部の近傍部位が変形しやすい。従って、梱包されているＤＶＤプレーヤに伝わる振動等が軽減され、ＤＶＤプレーヤ本体及びスタンドを振動等から保護することが可能になる。また、第３の部材には蛇腹形状の蛇腹部が設けられているので、外箱に振動等が加わったときに蛇腹部が変形しやすくなり、梱包されているＤＶＤプレーヤに伝わる振動等を効果的に軽減することができる。従って、ＤＶＤプレーヤ本体と共にスタンドを梱包可能な大きな部材であっても、衝撃等に対して変形しやすくすることが可能であり、上述と同様に、ＤＶＤプレーヤ本体及びスタンドを保護することが可能になる。さらにまた、第１の部材と第２の部材とは、それぞれ、略平面状に形成された前面接触部を有しており、この前面接触部は、接続部により、前後方向に可撓性を有するように当接部に接続されているので、衝撃等が加わったときにも、比較的耐衝撃性の低いＤＶＤプレーヤ本体の前部を確実に支えると共に、この前部に伝達される衝撃等を緩和することが可能であり、より確実にＤＶＤプレーヤ本体を保護することが可能である。
【００１２】
請求項２の発明によれば、梱包材は、当接部の部材をくりぬくように形成された肉盗み部と、複数の当接部の間に蛇腹形状をなすように形成された蛇腹部とを有しているので、外箱に振動等が加わったときに、この肉盗み部の近傍部位と蛇腹部とが共に変形しやすい。従って、外箱に振動等が加わったときにも、梱包されている電子機器に伝達される振動等を軽減することが可能になり、電子機器を振動等から保護することが可能になる。
【００１３】
請求項３の発明によれば、梱包材が、電子機器のスタンドを保護可能なスタンド嵌入部を有しており、肉盗み部が、嵌入部の４角の近傍部位に形成されていると共に、蛇腹部が、嵌入部及びスタンド嵌入部の上下の部位に、蛇腹形状をなすように形成されている。従って、電子機器本体と共にスタンドを梱包可能な大きな部材であっても、衝撃等に対して変形しやすくすることが可能であり、確実に電子機器本体及びスタンドを保護することが可能である。
【発明を実施するための最良の形態】
【００１４】
以下、本発明の一実施形態について図面を参照して説明する。図１（ａ）、（ｂ）は、本実施形態に係る梱包材の一例を示す。図のＸＹＺ座標系において、Ｘ方向が前方、Ｙ方向が側方、Ｚ方向が上方をそれぞれ示す。梱包材１は、例えば発泡スチロールの成形品であり、第１の部材１０、第２の部材２０、及び第３の部材３０の３つの部材で構成されている。本実施形態において、この梱包材１は、例えば図２に示すＤＶＤプレーヤ１００を、輸送運搬時等に、例えば段ボール製の輸送運搬用の外箱（図示せず）内に梱包するために用いられる。
【００１５】
図２は、ＤＶＤプレーヤ１００の一例を示す。図のＸＹＺ座標系は、ＤＶＤプレーヤ１００の梱包時における方向を示し、Ｘ方向が前方、Ｙ方向が側方、Ｚ方向が上方をそれぞれ示す。ＤＶＤプレーヤ１００は、例えば縦置き型のものであって、略直方体形状のＤＶＤプレーヤ本体（以下、本体と称する）１１０と、本体１１０を縦置きに支持するためのスタンド１２０とで構成されている。本体１１０はいわゆるスロットイン方式によりＤＶＤディスクを挿脱可能なものであり、前面にディスクの挿入口１１１を有しており、本体１１０の内部の挿入口１１１の近傍部位には、ディスクのローディング機構１１２が配置されている。なお、ＤＶＤプレーヤ１００は、ディスクをスロットイン方式により挿脱するものに限られない。
【００１６】
まず、本実施形態に係る梱包材１のうち、第１の部材１０及び第２の部材２０について説明する。図１に示すように、ＤＶＤプレーヤ１００の梱包時においては、第１の部材１０及び第２の部材２０は、本体１１０の左右にそれぞれ別個に配置される。そして、本体１１０の前部の４角のうち、左右の上下２角ずつの近傍部位をそれぞれ保護する。第１の部材１０は、前部嵌入部１１と、２箇所の当接部１２と、当接部１２をくりぬくように設けられた肉盗み部１３と、前方の前面接触部１５と、前面接触部１５と当接部１２とを接続する接続部１６とを有している。また、第２の部材２０は、第１の部材１０と左右方向に略対称形状であり、前部嵌入部２１と、２箇所の当接部２２と、当接部２２をくりぬくように設けられた肉盗み部２３と、前方の前面接触部２５と、前面接触部２５と当接部２２とを接続する接続部２６とを有している。
【００１７】
前部嵌入部１１，２１は、図１（ｂ）に示すように、本体１１０の前部の４角のうち、左右どちらかの上下２角の近傍部位を包み込み可能な形状に形成されている。当接部１２，２２は、前部嵌入部１１，２１それぞれの外側に形成されており、この梱包材１が外箱に梱包されているとき、その外箱の各隅部と対応する位置に設けられている。すなわち、第１の部材１０及び第２の部材２０は、それぞれ２箇所の当接部１２，２２を有しており、第１の部材１０及び第２の部材２０のそれぞれ２箇所の当接部１２，２２は、この梱包材１が外箱に梱包されているときに、それぞれその外箱の前方の上下２箇所の隅部近傍と当接するように形成されている。
【００１８】
図１（ａ）を参照し、当接部２２について具体的に説明する。本実施形態において、当接部２２とは、外箱の隅部と当接し得る、第２の部材２０の前面と、側面と、上面とがなす角部２０ａの近傍部位、及び、第２の部材２０の前面と、側面と、下面とがなす角部２０ｂの近傍部位をいう。すなわち、例えば第２の部材２０の２箇所の当接部２２のうち上方のものには、図に示すように、角部２０ａと、第２の部材２０の上面における角部２０ａ近傍部位２２ａと、側面における上部２２ｂと、第２の部材２０の前面と側面、前面と上面、及び側面と上面をそれぞれ互いに接続する辺部２２ｃとが該当する。なお、下方の当接部２２や、第１の部材１０の当接部１２も、これと同様の部位である。
【００１９】
肉盗み部１３，２３は、図１（ｂ）に示すように、各当接部１２，２２の、前部嵌入部１１，２１の上下部位に、それぞれ設けられている。すなわち、肉盗み部１３，２３は、第１の部材１０及び第２の部材２０それぞれにつき２箇所ずつ設けられている。肉盗み部１３，２３は、本体１１０の背面側から前面側に向けて、当接部１２，２２の部材をくりぬくように形成されており、その肉盗み部１３，２３の周囲の部材の肉厚が薄くなるように形成されている。
【００２０】
図３は、第１の部材１０を示す。図のＸＹＺ座標系において、Ｘ方向が前方、Ｙ方向が側方、Ｚ方向が上方をそれぞれ示す。なお、本実施形態において、第１の部材１０の形状と第２の部材２０の形状とは略対称形状である。前面接触部１５，２５は、梱包材１が外箱内に梱包されているときに、その外箱の内面のうち、本体１１０の前面に対向する面に接するように、第１の部材１０及び第２の部材の前面の上下略中央部に、前方に向け略平面状に形成されている。そして、図に示すように、この前面接触部１５，２５と、その上下の当接部１２，２２とは、それぞれ、前面接触部１５，２５の前面よりも後方にずれた位置に設けられた接続部１６，２６により接続されている。本実施形態において、図に示すように、第１の部材１０及び第２の部材２０の前面は、前面接触部１５，２５と接続部１６，２６とが互いに前後方向にずれて設けられて、側方から見て蛇腹形状をなす蛇腹部となるように形成されている。そして、前面接触部１５，２５は、接続部１６，２６が変形することにより、本体１１０に対し、前後方向に可撓性を有するように構成されている。
【００２１】
次に、第３の部材３０について説明する。上述のように、第１の部材１０及び第２の部材２０には本体１１０の前部が嵌め込まれるのに対し、第３の部材３０は、本体１１０の背部近傍が嵌め込まれ、この背部近傍の部位を保護可能なものである。また、本実施形態においては、ＤＶＤプレーヤ１００のスタンド１２０についても本体１１０と共に保護可能に構成されている。
【００２２】
図１に示すように、第３の部材３０は、前方に向け開口した背部嵌入部３１と、４箇所の当接部３２と、当接部３２の部材をくりぬくように形成された肉盗み部３３と、後方に向け開口したスタンド嵌入部３４と、左右略中央部の上下に形成された蛇腹部３６とを有している。背部嵌入部３１は、本体１１０の背部の４角の近傍部位を包み込み可能に、本体１１０の背部の形状に対応する形状に形成されている。４箇所の当接部３２は、この背部嵌入部３１の４箇所の隅部の外側にそれぞれ形成されている。この当接部３２は、上述の第１の部材１０及び第２の部材２０の当接部１２，２２と同様に、この梱包材１が外箱に梱包されているとき、その外箱の各隅部の位置と対応して設けられている。すなわち、梱包材１が外箱に梱包されているときには、当接部３２は、その外箱の背面の、上下左右４箇所の隅部近傍と当接するように形成されている。
【００２３】
図１（ｂ）を参照し、当接部３２について具体的に説明する。本実施形態において、当接部３２とは、上述の当接部１２，２２と略同様に、外箱の隅部と当接し得る、第３の部材３０の背面と、側面と、上面とがなす左右の角部３０ａそれぞれの近傍部位、及び、第３の部材３０の背面と、側面と、下面とがなす左右の角部３０ｂそれぞれの近傍部位をいう。すなわち、例えば第３の部材３０の４箇所の当接部３２のうち背面から見て左側上方のものには、図に示すように、角部３０ａと、第３の部材３０の上面における角部３０ａ近傍部位３２ａと、側面の上部３２ｂと、背面における角部３０ａ近傍部位３２ｃと、第３の部材３０の背面と側面、背面と上面、及び側面と上面をそれぞれ互いに接続する辺部３２ｄとが該当する。なお、その他の当接部３２も、これと同様の部位である。
【００２４】
肉盗み部３３は、図に示すように、４箇所の当接部３２それぞれの、背部嵌入部３１の上下部位に、第３の部材３０の前面側から背面側に向けて、第３の部材３０を貫通するように形成されている。すなわち、肉盗み部３３は、当接部３２それぞれにつき一箇所ずつ、合計４箇所に形成されている。ここで、本実施形態において、この肉盗み部３３は、図１（ｂ）に示すように、第３の部材３０の左右のそれぞれ２つずつの肉盗み部３３が、それぞれ第３の部材３０の背面側の開口部において互いに繋がって、上下に開口する１つの開口部を形成するように設けられている。これにより、例えば第３の部材３０の側方から力が加えられたときに、この側面が変形しやすくなるように構成されている。なお、肉盗み部３３は、このように第３の部材３０を貫通する部位同士が繋がっていなくてもよく、また、第３の部材３０を貫通していなくてもよい。
【００２５】
スタンド嵌入部３４は、図１（ｂ）に示すように、スタンド１２０の上面となる曲面に応じた形状に形成されている。すなわち、スタンド１２０は、スタンド嵌入部３４に、上面を前方に向けて嵌め込まれ、上面が第３の部材３０により保護された状態で梱包可能に構成されている。本実施形態において、スタンド嵌入部３４は、第３の部材３０の前面側の背部嵌入部３１に連設されており、背部嵌入部３１とスタンド嵌入部３４により第３の部材３０の中央部が貫通されるように形成されている。
【００２６】
図４は、第３の部材３０を示す。蛇腹部３６は、第３の部材３０の、背部嵌入部３１とスタンド嵌入部３４により貫通された部位の上下２箇所にそれぞれ設けられている。この蛇腹部３６は、図４に示すように、前方から見て蛇腹形状をなすように、前後方向に沿って設けられている。本実施形態において、蛇腹部３６は、第３の部材３０の外面に前後方向に沿って３箇所の谷部を有するように形成されている。なお、蛇腹部３６の形状はこれに限られるものではない。
【００２７】
図５は、この梱包材１の成型時の形状を示す。上述のように、この梱包材１は３つの部材に分かれて用いられるものであるが、図５に示すように、この梱包材１は、第１の部材１０、第２の部材２０、及び第３の部材３０が並ぶようにして、一体に成型されるように構成されている。すなわち、梱包材１は、このように一体で成型することにより、低コストに製造可能に構成されている。そして、ＤＶＤプレーヤ１００の梱包時にも、このように一体に成型された１つの梱包材１を１つのＤＶＤプレーヤ１００毎に用いることで、梱包作業の効率を向上させることができるように構成されている。
【００２８】
上述の梱包材１を用いて、ＤＶＤプレーヤ１００は、次のように梱包される。すなわち、図１に示すように、第１の部材１０及び第２の部材２０は、それぞれ、前部嵌入部１１，２１に本体１１０の前部の４角を嵌め込むようにして本体１１０に取り付けられる。また、第３の部材３０は、背部嵌入部３１に本体１１０の背部を嵌め込むようにして本体１１０に取り付けられる。その後、第３の部材３０のスタンド嵌入部３４には、スタンド１２０が、その上面をＤＶＤプレーヤ１００の前方に向けるようにして嵌め込まれる。このように、本体１１０及びスタンド１２０が第１の部材１０、第２の部材２０、第３の部材３０に嵌め込まれた状態にされた後、ＤＶＤプレーヤ１００は、梱包材１と共に、外箱内に梱包される。外箱内に梱包された状態では、梱包材１の各部材の当接部１２，２２，３２等は外箱に当接するが、ＤＶＤプレーヤ１００は、スタンド１２０の底面を除き外箱と直接接触することがない状態となる。このように、ＤＶＤプレーヤ１００は、梱包材１により支えられた状態で外箱内に梱包されることにより、外箱に外部から加わる振動等から保護される。
【００２９】
上述のように、梱包材１によりＤＶＤプレーヤ１００が支えられて梱包された状態で、例えば輸送運搬中等に、外箱に振動等が加わったときには、第１の部材１０及び第２の部材２０それぞれの、肉盗み部１３，２３の周辺部と接続部２６とが、その振動等とＤＶＤプレーヤ１００の慣性力に応じて変形する。そして、このとき、第３の部材３０の肉盗み部３３の周辺部及び蛇腹部３６も、同様に変形する。このように、梱包材１は、振動等が加わったときに、変形しやすく構成されており、ＤＶＤプレーヤ１００に伝わる振動等を効果的に軽減可能に構成されている。すなわち、本実施形態においては、梱包材１の当接部１２，２２，３２の近傍に肉盗み部１３，２３，３３が設けられているので、外箱に振動等が加わったときに、この当接部１２，２２，３２の、肉盗み部１３，２３，３３の近傍部位が変形しやすい。従って、梱包されているＤＶＤプレーヤ１００に伝わる振動等が軽減され、本体１１０及びスタンド１２０を振動等から保護することが可能になる。また、第３の部材３０には蛇腹形状の蛇腹部３６が設けられているので、外箱に振動等が加わったときに蛇腹部３６が変形しやすくなり、梱包されているＤＶＤプレーヤ１００に伝わる振動等がより効果的に軽減される。従って、第３の部材３０のように、本体１１０と共にスタンド１２０を梱包可能な部材であっても、衝撃等に対して変形しやすくすることが可能となり、上述と同様に、本体１１０及びスタンド１２０を保護することが可能になる。
【００３０】
さらにまた、第１の部材１０と第２の部材２０とは、それぞれ、略平面状に形成され、接続部１６，２６により前後方向に可撓性を有するように構成された前面接触部１５，２５を有しているので、外箱に衝撃等が加わったときにも、比較的耐衝撃性の低い本体１１０の前部を、略平面状の前面接触部１５，２５により確実に支えることができる。そして、この前面接触部１５，２５が撓むことにより、この前部に伝達される衝撃等を効果的に緩和することが可能であるので、より確実に本体１１０を保護することが可能になる。
【００３１】
なお、本発明は上記実施形態の構成に限定されるものではなく、発明の趣旨を変更しない範囲で適宜に種々の変形が可能である。例えば、梱包材１は、３つの部材に分割されているものに限られるものではなく、たとえば、前後又は左右に２分割されているものであったり、４つ以上の部材により構成されているものであってもよい。また、梱包材１は、ＤＶＤプレーヤ１００を梱包するものに限られるものではなく、他の電子機器等を梱包する際に用いられるものであってもよい。すなわち、電子機器を梱包する梱包材を、外部からの振動等に対して変形しやすくなるように肉盗み部及び蛇腹部を有する構成にすることにより、梱包された電子機器に伝わる外部からの振動等をより効果的に低減することが可能となり、電子機器を確実に保護することが可能になる。
【図面の簡単な説明】
【００３２】
【図１】（ａ）は本発明の一実施形態に係る梱包材の一例の前面側を示す斜視図、（ｂ）は同梱包材の背面側を示す斜視図。
【図２】同上梱包材により梱包されるＤＶＤプレーヤを示す斜視図。
【図３】同上梱包材の第１の部材を示す斜視図。
【図４】同上梱包材の第３の部材の前面図。
【図５】同上梱包材の製造後の形状を示す斜視図。
【図６】従来の梱包材により梱包されるＤＶＤプレーヤを示す斜視図。
【図７】（ａ）は従来の梱包材の一例の前面側を示す斜視図、（ｂ）は同梱包材の背面側を示す斜視図。
【符号の説明】
【００３３】
１  梱包材
１０  第１の部材
１１，２１  前部嵌入部（嵌入部）
１２，２２，３２  当接部
１３，２３，３３  肉盗み部
１５，２５  前面接触部
１６，２６  接続部（蛇腹部）
２０  第２の部材
３０  第３の部材
３１  背部嵌入部（嵌入部）
３４  スタンド嵌入部
３６  蛇腹部
１００  ＤＶＤプレーヤ（電子機器）
１１０  ＤＶＤプレーヤ本体（電子機器の本体）
１１１  挿入口
１２０  スタンド
【図１】
2007284109.tif 000003
【図２】
2007284109.tif 000004
【図３】
2007284109.tif 000005
【図４】
2007284109.tif 000006
【図５】
2007284109.tif 000007
【図６】
2007284109.tif 000008
【図７】
2007284109.tif 000009